(57)【要約】      （修正有）【課題】ブレスレッド形徘徊者の不用意な外出を監視し、通知する徘徊者情報管理システムを提供する。【解決手段】コールセンターの電話番号が記載された認識ＩＤを読み取る１次元、２次元バーコードが印刷されたブレスレッド１と、ＩＳＤＮデジタル回線網を使用する携帯電話等でコールセンターに自動発信する認識ＩＤが印刷された１次元、２次元バーコード２で、発信電話番号末尾にデジタル通信回線の付加番号であるサブアドレス通知させることで利用者の識別ＩＤを取得することからなることを特徴とし、且つ利用者の個人情報の記載されたファイルを特定したＵＲＬにインターネット経由で自動接続或いは呼出入の識別ＩＤを入力する認識ＩＤを読み取る１次元、２次元バーコード５と、利用者の個人情報を呼び出し表示するコールセンターに蓄積されたデータベースサーバー９と、発見者が利用者の情報を得ることにより緊急・応急処置を行うことからなる。【選択図】図１
0003195257.tif 000002
【実用新案登録請求の範囲】
【請求項１】
印刷された１次元、２次元バーコードを携帯電話等で読み取ることでコールセンターに自動発信され、
ＩＳＤＮデジタル回線網を使用する携帯電話等で印刷された１次元、２次元バーコードを読み取ると、発信電話番号末尾にデジタル通信回線の付加番号であるサブアドレス通知で利用者の識別ＩＤを取得し、
印刷された１次元、２次元バーコードを携帯電話等で読み取るとインターネット経由で、個人情報の記載されたファイルを特定したＵＲＬに自動接続され、識別ＩＤ、或いは呼出入の識別ＩＤを入力することで緊急時に迅速且つ適切な情報開示することを特徴とする１次元、２次元バーコードによる識別ＩＤを記録したブレスレッドであり、
１次元、２次元バーコードの読取によって自動電話発信され、着信を受けたコールセンターでは、
識別ＩＤから利用者の個人情報をデータベースから呼び出し、保護者並びに管理者への三者通話によって利用者の保護或いは救済依頼を行い、
緊急時には、１次元、２次元バーコードを読み取り、インターネット網を利用して個人情報の開示をすることにより、緊急・応急処置を行うことを目的とすることを特徴とす認識ＩＤを印刷したブレスレッド並びにその付帯システム。
【請求項２】
識別ＩＤを記憶した非接触型ＩＣチップを埋め込んだブレスレットを利用者が装着することにより、
通信機能を備えた非接触型ＩＣチップの読取機器を設置した建物の出入り口を利用者が通過する都度、識別ＩＤ、通過日時をコールセンターのデータベースに、記録並びに指定した者に通知するシステムであり、
非接触型ＩＣチップの読取機器から送信された、識別ＩＤ、通過日時、を評価することにより、利用者の外出時間、不在時間、外出から帰宅までに要した時間等を監視し、利用者の通常行動範囲外の行動を診断し、受信者に対して警告表示を与えることを特徴とした非接触型ＩＣチップを埋め込んだブレスレット並びにその付帯システム。
【考案の詳細な説明】
【技術分野】
【０００１】本考案は、高齢者並びに認知症患者、知的障害児（者）及び身障者の徘徊行動や迷子になった場合、発見者がその利用者情報を知るコールセンターへの連絡を携帯電話から自動発信化し、利用者情報を元に適切な保護を行うための通知・通報処理並びに緊急時のための該当個人情報の開示を行い、高齢者並びに認知症患者、知的障害児（者）及び身障者が、住居や施設からの出入を監視し、その出入情報をコールセンターへ通知記録し、日常範囲外行動を行った場合に、警告表示をするシステムに関するものである。
【背景技術】
【０００２】従来方法として、高齢者並びに認知症患者、知的障害児（者）及び身障者の徘徊行動や迷子者を保護する方法は、利用者が自ら発信機（特許文献１）或いはＧＰＳ機能の付属した発信機（特許文献２）、及び携帯電話（特許文献３）を所持するか、衣類にＧＰＳ携帯端末を固装（特許文献４）し、保護者が利用者の位置確認を行う方法、或いは、靴等の履物に登録番号を記載したシールを貼り、第三者が行政等の第三者機関へ通報する（実用新案文献１）等があり、
高齢者並びに認知症患者、知的障害児（者）及び身障者の徘徊行動や迷子者の外出を監視する方法として、利用者の顔情報を識別して自動ドアを開閉する方法（特許文献５）や、一般家庭や老人ホーム及び病院等内においてＩＤタグを備えた利用者の位置情報を監視し、動線管理や生態管理を行う方法がある。
【先行技術文献】
【特許文献】
【０００３】
【特許文献１】特許公開平１１−３０６５８
【特許文献２】特許公開平１０−３２５８６１
【特許文献３】特許公開２０００−１２５３４０
【特許文献４】特許公開２００３−２３９１１８
【特許文献５】特許公開２０１３−４９９８３
【特許文献６】特許公開２００３−２４８８８４
【実用新案文献１】
登録実用新案第３１７０５３１号
【考案の概要】
【考案が解決しようとする課題】
【０００４】高齢者並びに認知症患者、知的障害児（者）及び身障者が徘徊した場合、ＧＰＳ機能付の携帯電話や発信機等の場合、当該者が所持していなければ感知することができない。
高齢者並びに認知症患者、知的障害児（者）及び身障者が徘徊する場合、利用者は自己の行動について認識していない事が多く、上記ＧＰＳ機能付の携帯電話や発信機等を所持して徘徊行動を起こすものとは考えにくい。
また、ＧＰＳ機能付の携帯電話や発信機等の電子機器や精密機器は、水・雨等の耐水能力に劣り、濡れた場合に故障の原因になる恐れがある。
ＧＰＳ機能付の携帯電話や発信機等の場合、その機能を使用するためには充電池或いは電気が必要であり、常に充電状態を保たなくてはならない。
発見者は利用者の情報を聴取することが困難な場合はその通知方法がない。
保護者並びに管理者が夜間の就寝時に利用者が徘徊行動、或いは外出した場合、初期に発見することが困難であり、保護者並びに管理者の不在時、利用者が徘徊行動或いは外出した場合においても保護者並びに管理者は、建物内の位置情報を監視するか、利用者に対して電話等で所在を確認する事ができるが、常時その行動を監視することは困難である。
【課題を解決するための手段】
【０００５】本考案は電源を必要とする精密機器などの電子部品を使用しない事で軽量化を行い、日常的に身体に装着することを可能にし、所持する必要性をなくした。
通常、発見者は健常者であることから、発見者の携帯電話等を使用してコールセンターに発信することにより状況説明を容易にし、
早期発見の場合、利用者は居住地近隣地域で発見されることから、コールセンターでは利用者の保護者並びに管理者との３者通話を行うことにより、地理的理解をすることができ、事故や怪我等、緊急を要する場合は、利用者の位置情報を元に、警察や救急隊へ通知し、三者通話を行うことで早期対応と、利用者の情報開示によって応急・緊急処置を行うことを可能とした。【０００６】本考案品を日常的に身体に装着するために軽量であり、皮膚への影響が少ないものとして、シリコンゴム等を素材とした。
利用者が日常的に本発明品を装着したまま生活を行う上で、手洗いや入浴等を行なっても故障の原因となる露出或いは防水・防滴を必要とする電子部品を使用しない。【０００７】発見者は利用者の識別ＩＤを記録したブレスレッドに黒色印刷された１次元、２次元バーコードを携帯電話等で読み取るとコールセンターに自動発信される。
この時デジタル回線網を利用した携帯電話等では、コールセンター番号末尾にデジタル通信回線の付加番号であるサブアドレス通知を行なうことにより、コールセンターでは発見者の電話番号と共に利用者の識別ＩＤを取得することが可能になる。【０００８】コールセンターではデジタル通信回線の付加番号であるサブアドレス通知を受け、発見者からの着信時に利用者の情報を画面上に呼び出すことが可能となり、利用者の保護者並びに管理者、緊急を要する場合は警察や救急隊に通知することが可能となる。【０００９】緊急を要する場合に警察や救急隊が利用者の個人情報を取得したい場合は、利用者の識別ＩＤを記録したブレスレッドも裏面に印刷された１次元、２次元バーコードを携帯電話等で読み取るとコールセンター内に設置されたデータベースサーバーに自動接続される。【００１０】第三者がデータベースサーバーに接続し個人情報を取得させない方法として、利用者の識別ＩＤを記録したブレスレッド裏面に特殊印刷された個人識別ＩＤの入力を行なわないと個人情報の開示をしない。或いは情報開示を受ける者の所属する機関の認識ＩＤ番号或いは情報開示を受ける者の認識ｉＤ番号を入力することにより情報開示を行う。【００１１】データベースサーバーに接続する場合はその発信する携帯電話の固体番号をサーバーに記録することで発信された携帯電話の固体番号を特定することが可能となる。【００１２】緊急を要する場合に警察や救急隊が利用者の個人情報を取得したい場合は、あらかじめサーバーに取得者情報を登録し、サーバーよりアプリケーションをダウンロード等による方法で取得者の携帯電話端末にインストールすることにより、利用者の識別ＩＤを記録したブレスレッドの裏面に印刷された１次元、２次元バーコードを携帯電話等で読み取るとコールセンター内に設置されたデータベースサーバーに自動認証、接続される。【００１３】第三者がデータベースサーバーに自動接続し個人情報を取得させない方法として接続認証アプリケーションを使用する。
接続アプリケーションを取得する場合は事前にその利用する携帯電話端末の登録を行なわないと個人情報の開示をしない。【００１４】識別ＩＤを記載したブレスレットの記録方法として、２次元バーコードにコールセンターの電話番号と認識ＩＤを記録し、携帯電話で等で読み取り自動発信する方法と、個人情報のファイルを特定したＵＲＬを記録して読み取りを行なう方法がある。【００１５】保護者並びに管理者が夜間の就寝時に利用者が徘徊行動、或いは外出した場合、初期に発見することが困難であるが、予め建物出入口に通信機能を備えた非接触型ＩＣチップの読取機器を設置することにより、非接触型ＩＣチップを埋込んだ本件ブレスレッドは、住居や施設の出入口に設置した非接触型ＩＣチップの読取機器が、利用者の通過時にコールセンターへその認識ＩＤ、時刻等を通知し、予め登録した日常時間外の出入に対して警告を表示することで、保護者並びに管理者にその旨を通知することが可能となる。【００１６】保護者並びに管理者の不在時に利用者が徘徊行動、或いは外出した場合、予め建物出入口に通信機能を備えた非接触型ＩＣチップの読取機器を設置することにより、予め登録した日常的な外出時間を越えて帰宅しない場合、コールセンターでは警告を表示し、保護者並びに管理者にその旨を通知することが可能となる。
【考案の効果】
【００１７】本考案の識別ＩＤを記載したブレスレットは、１次元、２次元バーコードによるコールセンターへの自動発信とデータベースサーバーへの自動接続により発見者からの情報の取得と、緊急時の利用者の情報開示が可能となった。【００１８】本考案の認識ＩＤを記録した非接触型ＩＣチップを埋め込んだブレスレッドと通信機能を備えた非接触型ＩＣチップの読取機器を設置することにより、データベースサーバーへの即時自動記録と、利用者の日常行動スケジュールを登録することにより、保護者並びに管理者が就寝、不在時であってもコールセンターでは利用者の非接触型ＩＣチップの読取機器設置場所からの出入を監視することができると共に、予め登録された日常時間外の行動の警告を表示することにより、利用者の徘徊行動や外出を早期に発見することが可能となった。
【図面の簡単な説明】
【００１９】
【図１】本考案のシステムの全容を図解化した。
【図２】本考案の識別ＩＤを記載したブレスレットの外観斜視図を示す
【図３】本考案の自動発信の方法と利用者情報の表示の関係を示す
【図４】本考案の情報提供システムの構成で、本考案の自動接続の方法と個人情報の開示方法と開示ファイルを示す
【図５】本考案の情報提供システムの構成で、本考案の利用者の出入管理方法と外出予定に基づく出入記録データ構成を示す
【考案を実施するための最良の形態】
【００２０】本考案の実施形態を図面に基づいて説明する。【００２１】図１は本考案全体の実施形態システム概要を示す関係図である。本考案の実施形態である識別ＩＤを記載したブレスレット１がコールセンターの電話番号と識別ＩＤの記録された２次元バーコード２を読み込み、デジタル発信に付加されたサブアドレス７を付加して送信すると認識ＩＤ３をコールセンター６では認識し、データベースサーバー９より利用者基本情報１８をパソコン８に表示させる。コールセンター６は、利用者基本情報１８を元に、（公序良俗違反につき、不掲載）の利用サービスである３者間通話１２を利用し、保護者並びに管理者１１や警察１３或いは救急隊１４に連絡し、利用者の保護を行う。警察１３並びに救急隊１４は、個人情報を取得するためのＵＲＬが記載された２次元バーコード５を読み取ることによりインターネット網２８を経由し、アプリケーションサーバー１０に接続し、認証サーバー１７で認証を受けることにより、利用者基本情報１８を閲覧することでき、ファイルサーバー１５の利用者身体情報１９並びに利用者特記情報２０の個人情報を閲覧することにより、緊急時の対応を可能とした。本考案の実施形態である非接触型ＩＣチップ埋め込みブレスレット２１を装着した利用者が通信機能を備えた非接触型ＩＣチップの読取機器２２を通過するとコールセンター６のデータベースサーバー９へ認識ＩＤ３と共に通過記録２３を送信し、出入記録ファイル２４を作成する。作成された出入記録ファイル２４をファイルサーバー１５内に保存されている予め登録された日常行動時間２５と登録された外出予定・就寝時間帯の照合３７し、予定外行動の場合はコールセンター６のパソコン８に利用者行動の警告２６を行う。【００２２】図２は本考案の識別ＩＤを記載したブレスレッド１の外観斜視図で、外側表面にコールセンターの電話番号と識別ＩＤの記録された２次元バーコード２、目視可能な認識ＩＤ３が印刷され、裏面内側には個人情報を取得するためのＵＲＬが記録された２次元バーコード５、個人情報を取得する時に必要な特殊印刷された認識ＩＤ４が印刷されている。【００２３】図３は本考案の非接触型ＩＣチップ埋め込みブレスレット２１の立面図で、ブレスレッド中央部に非接触型ＩＣチップ４０が埋め込まれている。【００２４】図４は本考案本考案の動作１を示す図として、識別ＩＤを記載したブレスレット１のコールセンターの電話番号と識別ＩＤの記録された２次元バーコード２を携帯電話２７等で読み込み、デジタル発信に付加されたサブアドレス７を付加してコールセンター６に送信すると、データベース９ではデジタル発信に付加されたサブアドレス７或いは口頭で述べられた認識ＩＤ３より、データベースサーバー９から利用者の利用者基本情報１８をパソコン８に表示する。コールセンター６は、利用者基本情報１８を元に、（公序良俗違反につき、不掲載）の利用サービスである３者間通話１２を利用し、保護者並びに管理者１１や警察１３或いは救急隊１４に連絡し、利用者の保護を行う。【００２５】図５は本考案の動作２を示す図で、識別ＩＤを記載したブレスレット１の裏面に印刷された個人情報を取得するためのＵＲＬが記録された２次元バーコード５を携帯電話２７等で読み込むと、インターネット網２８を介してコールセンター６に設置されたアプリケーションサーバー１０に接続し、認証サーバー１７で認証を受けることにより、利用者基本情報１８で利用者の氏名・住所・生年月日２９並びに保護者並びに管理者の連絡先・緊急連絡先３０を閲覧し、写真３１を閲覧することで本人確認をすることができる。ファイルサーバー１５の利用者身体情報１９を閲覧することにより、治療中の疾病名３２並びに健康状態３３を閲覧することにより利用者が怪我をしている場合に迅速な応急処置をとることが可能となり、利用者特記情報２０を閲覧することにより、利用者のアレルギー反応等３４や投薬情報３５、通院先病院名３６を閲覧することにより緊急時の迅速且つ適切な処理が可能となる。
図６は本考案の動作３を示す利用者が非接触型ＩＣチップ埋め込みブレスレット２１を装着し、通信機能を備えた非接触型ＩＣチップの読取機器２２を通過した際、通信機能を備えた非接触型ＩＣチップの読取機器２２はコールセンター６のデータベースサーバー９に認識ＩＤ３と共に通過記録２３を出入記録ファイル２４に記録し、予め登録された日常行動時間２５とファイルサーバー１５内に保存されている予め登録された日常行動時間２５の就寝時間３８、外出予定３９等と登録された外出予定・就寝時間帯の照合３７を行い、予定外行動の場合はコールセンター６のパソコン８に利用者行動の警告２６を行い、コールセンター６は保護者並びに管理者１１に通知を行う。
【符号の説明】
【００２６】      １  識別ＩＤを記載したブレスレット      ２  コールセンターの電話番号と識別ＩＤの記録された２次元バーコード      ３  認識ＩＤ      ４  特殊印刷された認識ＩＤ      ５  個人情報を取得するためのＵＲＬが記録された２次元バーコード      ６  コールセンター      ７  デジタル発信に付加されたサブアドレス      ８  パソコン      ９  データベースサーバー      １０  アプリケーションサーバー      １１  保護者並びに管理者      １２  （公序良俗違反につき、不掲載）の利用サービスである３者間通話      １３  警察      １４  救急隊      １５  ファイルサーバー      １６  個人情報ファイル      １７  認証サーバー      １８  利用者基本情報      １９  利用者身体情報      ２０  利用者特記情報      ２１  非接触型ＩＣチップ埋め込みブレスレット      ２２  通信機能を備えた非接触型ＩＣチップの読取機器      ２３  通過記録      ２４  出入記録ファイル      ２５  予め登録された日常行動時間      ２６  利用者行動の警告      ２７  携帯電話等      ２８  インターネット網      ２９  氏名・住所・生年月日      ３０  保護者並びに管理者の連絡先・緊急連絡先      ３１  写真      ３２  治療中の疾病名      ３３  健康状態      ３４  アレルギー反応等      ３５  投薬情報      ３６  通院先病院名      ３７  登録された外出予定・就寝時間帯の照合      ３８  就寝時間帯      ３９  外出予定      ４０  非接触型ＩＣチップ
【図１】
0003195257.tif 000003
【図２】
0003195257.tif 000004
【図３】
0003195257.tif 000005
【図４】
0003195257.tif 000006
【図５】
0003195257.tif 000007
【図６】
0003195257.tif 000008
【手続補正書】
【提出日】平成25年7月16日(2013.7.16)
【手続補正１】
【補正対象書類名】実用新案登録請求の範囲
【補正対象項目名】全文
【補正方法】変更
【補正の内容】
【実用新案登録請求の範囲】
【請求項１】
認識ＩＤが印刷された１次元、２次元バーコードを携帯電話等で読み取ることでコールセンターに自動発信され、
ＩＳＤＮデジタル回線網を使用する携帯電話等で認識ＩＤが印刷された１次元、２次元バーコードを読み取ると、発信電話番号末尾にデジタル通信回線の付加番号であるサブアドレス通知で利用者の識別ＩＤを取得し、
認識ＩＤが印刷された１次元、２次元バーコードを携帯電話等で読み取るとインターネット経由で、個人情報の記載されたファイルを特定したＵＲＬに自動接続され、識別ＩＤ、或いは呼出人の識別ＩＤを入力することで緊急時に迅速且つ適切な情報開示することを特徴とする１次元、２次元バーコードによる識別ＩＤを記録したブレスレッドであり、
認識ＩＤが印刷された１次元、２次元バーコードの読取によって自動電話発信され、着信を受けたコールセンターでは、
識別ＩＤから利用者の個人情報をデータベースから呼び出し、保護者並びに管理者への三者通話によって利用者の保護或いは救済依頼を行い、
緊急時には、認識ＩＤが印刷された１次元、２次元バーコードを読み取り、インターネット網を利用して個人情報の開示をすることにより、緊急・応急処置を行うことを目的とすることを特徴とするブレスレッド形徘徊者の不用意な外出を監視し、通知する徘徊者情報管理システム。
【請求項２】
識別ＩＤを記憶した非接触型ＩＣチップを埋め込んだブレスレットを利用者が装着することにより、
通信機能を備えた非接触型ＩＣチップの読取機器を設置した建物の出入り口を利用者が通過する都度、識別ＩＤ、通過日時をコールセンターのデータベースに、記録並びに指定した者に通知するシステムであり、
非接触型ＩＣチップの読取機器から送信された、識別ＩＤ、通過日時、を評価することにより、利用者の外出時間、不在時間、外出から帰宅までに要した時間等を監視し、利用者の通常行動範囲外の行動を診断し、受信者に対して警告表示を与えることを特徴としたブレスレッド形徘徊者の不用意な外出を監視し、通知する徘徊者情報管理システム
【手続補正３】
【補正対象書類名】明細書
【補正対象項目名】００２１
【補正方法】変更
【補正の内容】
【００２１】図１は本考案全体の実施形態システム概要を示す関係図である。
本考案の実施形態である識別ＩＤを記載したブレスレット１がコールセンターの電話番号と識別ＩＤの記録された２次元バーコード２を読み込み、デジタル発信に付加されたサブアドレス７を付加して送信すると認識ＩＤ３をコールセンター６では認識し、データベースサーバー９より利用者基本情報１８をパソコン８に表示させる。
コールセンター６は、利用者基本情報１８を元に、公衆電話回線の利用サービスである３者間通話１２を利用し、保護者並びに管理者１１や警察１３或いは救急隊１４に連絡し、利用者の保護を行う。
警察１３並びに救急隊１４は、個人情報を取得するためのＵＲＬが記載された２次元バーコード５を読み取ることによりインターネット網２８を経由し、アプリケーションサーバー１０に接続し、認証サーバー１７で認証を受けることにより、利用者基本情報１８を閲覧することでき、ファイルサーバー１５の利用者身体情報１９並びに利用者特記情報２０の個人情報を閲覧することにより、緊急時の対応を可能とした。
本考案の実施形態である非接触型ＩＣチップ埋め込みブレスレット２１を装着した利用者が通信機能を備えた非接触型ＩＣチップの読取機器２２を通過するとコールセンター６のデータベースサーバー９へ認識ＩＤ３と共に通過記録２３を送信し、出入記録ファイル２４を作成する。作成された出入記録ファイル２４をファイルサーバー１５内に保存されている予め登録された日常行動時間２５と登録された外出予定・就寝時間帯の照合３７し、予定外行動の場合はコールセンター６のパソコン８に利用者行動の警告２６を行う。
【手続補正４】
【補正対象書類名】明細書
【補正対象項目名】００２４
【補正方法】変更
【補正の内容】
【００２４】  図４は本考案本考案の動作１を示す図として、識別ＩＤを記載したブレスレット１のコールセンターの電話番号と識別ＩＤの記録された２次元バーコード２を携帯電話２７等で読み込み、デジタル発信に付加されたサブアドレス７を付加してコールセンター６に送信すると、データベース９ではデジタル発信に付加されたサブアドレス７或いは口頭で述べられた認識ＩＤ３より、データベースサーバー９から利用者の利用者基本情報１８をパソコン８に表示する。コールセンター６は、利用者基本情報１８を元に、公衆電話回線の利用サービスである３者間通話１２を利用し、保護者並びに管理者１１や警察１３或いは救急隊１４に連絡し、利用者の保護を行う。
【手続補正５】
【補正対象書類名】明細書
【補正対象項目名】００２６
【補正方法】変更
【補正の内容】
【００２６】  １  識別ＩＤを記載したブレスレット
２  コールセンターの電話番号と識別ＩＤの記録された２次元バーコード
３  認識ＩＤ
４  特殊印刷された認識ＩＤ
５  個人情報を取得するためのＵＲＬが記録された２次元バーコード
６  コールセンター
７  デジタル発信に付加されたサブアドレス
８  パソコン
９  データベースサーバー
１０  アプリケーションサーバー
１１  保護者並びに管理者
１２  公衆電話回線の利用サービスである３者間通話
１３  警察
１４  救急隊
１５  ファイルサーバー
１６  個人情報ファイル
１７  認証サーバー
１８  利用者基本情報
１９  利用者身体情報
２０  利用者特記情報
２１  非接触型ＩＣチップ埋め込みブレスレット
２２  通信機能を備えた非接触型ＩＣチップの読取機器
２３  通過記録
２４  出入記録ファイル
２５  予め登録された日常行動時間
２６  利用者行動の警告
２７  携帯電話等
２８  インターネット網
２９  氏名・住所・生年月日
３０  保護者並びに管理者の連絡先・緊急連絡先
３１  写真
３２  治療中の疾病名
３３  健康状態
３４  アレルギー反応等
３５  投薬情報
３６  通院先病院名
３７  登録された外出予定・就寝時間帯の照合
３８  就寝時間帯
３９  外出予定
４０  非接触型ＩＣチップ
【手続補正６】
【補正対象書類名】明細書
【補正対象項目名】００１９
【補正方法】変更
【補正の内容】
【００１９】
【図１】本考案のシステムの全容を図解化した。
【図２】本考案の識別ＩＤを記載したブレスレットの外観斜視図を示す
【図３】本考案の識別ＩＤを記載したブレスレッドの外観側面図を示す
【図４】本考案の自動発信の方法と利用者情報の表示の関係を示す
【図５】本考案の情報提供システムの構成で、本考案の自動接続の方法と個人情報の開示方法と開示ファイルを示す
【図６】本考案の情報提供システムの構成で、本考案の利用者の出入管理方法と外出予定に基づく出入記録データ構成を示す
【手続補正書】
【提出日】平成25年11月27日(2013.11.27)
【手続補正１】
【補正対象書類名】実用新案登録請求の範囲
【補正対象項目名】全文
【補正方法】変更
【補正の内容】
【実用新案登録請求の範囲】
【請求項１】
コールセンターの電話番号が記載された認識ＩＤを読み取る１次元、２次元バーコードと、ＩＳＤＮデジタル回線網を使用する携帯電話等でコールセンターに自動発信する認識ＩＤが印刷された１次元、２次元バーコードで、発信電話番号末尾にデジタル通信回線の付加番号であるサブアドレス通知させることで利用者の識別ＩＤを取得することからなることを特徴とし、且つ利用者の個人情報の記載されたファイルを特定したＵＲＬにインターネット経由で自動接続或いは呼出人の識別ＩＤを入力する認識ＩＤを読み取る１次元、２次元バーコードと、利用者の個人情報を呼び出し表示するコールセンターに蓄積されたデータベースサーバーと、発見者が利用者の情報を得ることにより緊急・応急処置を行うことからなることを特徴とするブレスレッド形徘徊者の不用意な外出を監視し、通知する徘徊者情報管理システム。
【請求項２】
識別ＩＤを記億した非接触型ＩＣチップを埋め込んだブレスレットと、通信機能を備えた非接触型ＩＣチップの読取機器と、利用者が通過する都度、識別ＩＤ、通過日時をコールセンターのデータベースに情報を蓄積し、識別ＩＤ、通過日時、を評価することにより、利用者の外出時間、不在時間、外出から帰宅までに要した時間等を監視し、利用者の通常行動範囲外の行動を診断し、受信者に対して警告表示を与えることを特徴としたブレスレッド形徘徊者の不用意な外出を監視・通知することからなることを特徴とするブレスレッド形徘徊者の不用意な外出を監視し、通知する徘徊者情報管理システム。
【手続補正書】
【提出日】平成26年3月24日(2014.3.24)
【手続補正１】
【補正対象書類名】実用新案登録請求の範囲
【補正対象項目名】全文
【補正方法】変更
【補正の内容】
【実用新案登録請求の範囲】
【請求項１】
コールセンターの電話番号が記載された認識ＩＤを読み取る１次元、２次元バーコードが印刷されたブレスレッドと、ＩＳＤＮデジタル回線網を使用する携帯電話等でコールセンターに自動発信する認識ＩＤが印刷された１次元、２次元バーコードで、発信電話番号末尾にデジタル通信回線の付加番号であるサブアドレス通知させることで利用者の識別ＩＤを取得することからなることを特徴とし、且つ利用者の個人情報の記載されたファイルを特定したＵＲＬにインターネット経由で自動接続或いは呼出入の識別ＩＤを入力する認識ＩＤを読み取る１次元、２次元バーコードと、利用者の個人情報を呼び出し表示するコールセンターに蓄積されたデータベースサーバーと、発見者が利用者の情報を得ることにより緊急・応急処置を行うことからなることを特徴とするブレスレッド形徘徊者の不用意な外出を監視し、通知する徘徊者情報管理システム。
【請求項２】
識別ＩＤを記憶した非接触型ＩＣチップを埋め込んだブレスレットと、通信機能を備えた非接触型ＩＣチップの読取機器と、前期読み取り機器と通信機能によって接続され、利用者が通過する都度、識別ＩＤ、通過日時の情報法蓄積するコールセンターのデータベースサーバーとからなり、利用者の外出時間、不在時間、外出から帰宅までに要した時間等を監視し、利用者の通常行動範囲外の行動を診断し、受信者に対して警告表示を与えることを特徴としたブレスレッド形徘徊者の不用意な外出を監視・通知する徘徊者情報管理システム。